(57)【要約】【課題】出力端子間が短絡した状態であるか否かを第１および第２の表示器の各表示形態により明確に判別する。【解決手段】アラーム表示用ＬＥＤ１８は、例えば過電圧保護動作が働いて、スイッチング素子４のスイッチング動作が停止した場合に、出力表示用ＬＥＤ１５と共に消灯する。しかし、出力端子７，８間が短絡した状態では、スイッチング素子４のスイッチング動作が停止していないので、出力電圧Ｖｏｕｔが低下して零になった後も点灯し続ける。これを見分けることで、出力端子７，８間が短絡した状態であるか否かを明確に判別できる。【選択図】  図１
2004320825.tif 000002
【特許請求の範囲】
【請求項１】
スイッチング素子のスイッチング動作に伴ない、出力端子間に出力電圧を発生する主電源部と、前記主電源部の動作状態を表示する第１および第２の表示器とを備えた電源装置において、
前記出力電圧が第１の閾値を超えていると前記第１の表示器を点灯させ、前記出力電圧が第１の閾値以下であると前記第１の表示器を消灯させる第１の監視手段と、
前記出力電圧が第２の閾値を超えていると前記第２の表示器を消灯させ、前記出力電圧が第２の閾値以下であると前記第２の表示器を点灯させる第２の監視手段とを備え、
前記第２の監視手段は、前記スイッチング素子のスイッチング動作が停止しない限り、前記出力電圧が零になっても前記第２の表示器を点灯させるものであることを特徴とする電源装置。
【請求項２】
前記第１の閾値よりも前記第２の閾値が高くなるように設定したものであることを特徴とする請求項１記載の電源装置。
【請求項３】
前記主電源部は、前記スイッチング素子のスイッチング動作に伴ない二次巻線に電圧を誘起させるトランスと、このトランスからの誘起電圧を整流平滑して前記出力電圧を得る整流平滑回路とを備え、
前記第２の監視手段は、前記第２の表示器に駆動電流を供給するために、前記トランスに巻装される補助巻線と、前記出力電圧が第２の閾値を超えているときに前記第２の表示器への前記駆動電流を遮断する出力電圧監視回路とからなることを特徴とする請求項１または２記載の電源装置。
【発明の詳細な説明】
【０００１】
【発明の属する技術分野】
本発明は、主電源部の動作状態を監視して、その結果を第１および第２の表示器で表示する電源装置に関する。
【０００２】
【従来の技術】
従来、この種の表示器を備えた電源装置の一例として、例えば特許文献１に示すスイッチング電源の異常検知回路が知られている。ここでは、整流平滑回路を介して入力される直流電圧をスイッチング電源回路により変換して、負荷と表示器である発光ダイオード（以下、ＬＥＤという）との直列回路間に出力電圧を供給すると共に、整流平滑回路の入力側にあるヒューズ間に時定数回路である限流要素を並列接続した構成が開示されており、前記ＬＥＤは、出力電圧が正常に出力されている正常時の出力オン状態で継続的に点灯し、出力電圧が正常にオフする正常時の出力オフ状態で消灯し、過電流によりヒューズが切れた回路異常時には、限流要素により決められた間隔で間欠的に点灯するようになっており、それぞれの動作状態をＬＥＤにより区別できるようにしている。
【０００３】
しかし、上記特許文献１に示す構成では、単独の表示器により異なる３つの動作状態を表示させる関係で、表示器を点滅させるための時定数回路を組み込まなければならない。しかも、表示器の点滅状態が何を意味するのかわかりにくいという不満もあった。
【０００４】
このような問題に対処するために提案されたのが、図７に示す回路例である。先ず主電源部９の構成から説明すると、１，２は一対の入力端子で、この入力端子１，２間にはトランス３の一次巻線３ａとスイッチング素子であるＭＯＳＦＥＴ４との直列回路が接続され、制御回路（図示しない）からの駆動パルス信号によりＭＯＳＦＥＴ４をスイッチング動作することで、入力端子１，２間の直流入力電圧Ｖｉｎがトランス３の１次巻線３ａに断続的に印加される。
【０００５】
一方、トランス３の二次巻線３ｂには、整流ダイオード５と平滑コンデンサ６とにより構成される整流平滑回路が接続される。そして、前記ＭＯＳＦＥＴ４のスイッチング動作に伴ない、トランス３の二次巻線３ｂに誘起された電圧が整流平滑され、平滑コンデンサ６の両端間に接続する出力端子７，８に出力電圧Ｖｏｕｔ（例えば直流２４Ｖ）が発生するようになっている。
【０００６】
次に、この主電源部９に組み込まれた動作状態表示装置の構成について説明すると、１１は出力電圧Ｖｏｕｔを監視するための電圧監視回路で、これは出力端子７，８間にツェナーダイオード１２と抵抗１３との直列回路を接続して構成される。またこれとは別に、出力端子７，８間には、抵抗１４と、第１の表示器である出力表示用ＬＥＤ１５と、ベースを前記ツェナーダイオード１２と抵抗１３との接続点に接続したトランジスタ１６との直列回路が接続される。さらに、出力表示用ＬＥＤ１５とトランジスタ１６との間には、ダイオード１７と第２の表示器であるアラーム表示用ＬＥＤ１８とからなる直列回路が接続される。抵抗１４およびダイオード１７も、前記電圧監視回路１１と同様に、出力電圧Ｖｏｕｔひいては電源装置の動作状態を監視する電圧監視回路１９を構成している。
【０００７】
そして上記構成において、出力端子７，８間に発生する出力電圧Ｖｏｕｔが正常で、電圧監視回路１１で定めた第１の閾値を超えている場合は、この電圧監視回路１１を構成するツェナーダイオード１２が導通して、トランジスタ１６のベースに電圧が印加される。そのためトランジスタ１６がオンし、抵抗１４を介して出力表示用ＬＥＤ１５へ駆動電流が流れ込んで、出力表示用ＬＥＤ１５が点灯する。一方、ダイオード１７およびアラーム表示ＬＥＤ１８からなる直列回路は、トランジスタ１６がオンしている関係で駆動電流が流れ込まず、アラーム表示用ＬＥＤ１８は消灯する。
【０００８】
これに対して、電源装置への入力電圧Ｖｉｎが不足するなどして、出力電圧Ｖｏｕｔが前記第１の閾値以下になると、ツェナーダイオード１２が非導通となり、このツェナーダイオード１２からトランジスタ１６のベースへの電圧印加が遮断される。こうなると、トランジスタ１６ひいては出力表示用ＬＥＤ１５がオフし、代わりに抵抗１４からダイオード１７およびアラーム表示用ＬＥＤ１８の直列回路に駆動電流が流れ込む。このとき、出力電圧Ｖｏｕｔがダイオード１７をオンするに十分な電圧レベルであれば、アラーム表示用ＬＥＤ１８に駆動電流が流れて、アラーム表示用ＬＥＤ１８だけが点灯する。
【０００９】
さらに出力電圧Ｖｏｕｔが低下して、電圧監視回路１９で定めた設定値以下になると、今度はダイオード１７がオフしてアラーム表示用ＬＥＤ１８への駆動電流も遮断され、出力表示用ＬＥＤ１５およびアラーム表示用ＬＥＤ１８は共に消灯する。
【００１０】
【特許文献１】
特開２０００−５０６１９号公報
【００１１】
【発明が解決しようとする課題】
上記図４に示す従来の電源装置では、出力表示用ＬＥＤ１５およびアラーム表示用ＬＥＤ１８への駆動電流が、いずれも主電源部９を構成するトランス３の二次巻線３ｂから供給されているため、出力端子７，８間が短絡したいわゆる出力短絡時に、出力電圧Ｖｏｕｔが急激に低下すると、主電源部９からの駆動電流の供給が途絶えて、出力表示用ＬＥＤ１５およびアラーム表示用ＬＥＤ１８が共に消灯する。しかし、出力電圧Ｖｏｕｔが異常に上昇して過電圧保護動作が働いた場合にも、スイッチング素子４のスイッチング動作が停止して、主電源部９からの駆動電流の供給が途絶えるので、出力表示用ＬＥＤ１５およびアラーム表示用ＬＥＤ１８が共に消灯しているときに、その原因が出力短絡によるものなのか、過電圧保護動作によるものなのかを明確に判別できない不満があった。
【００１２】
更には、前記出力電圧Ｖｏｕｔや出力電流を目視できるようにデジタル式またはアナログ式のメータを付加して、その電圧値や電流値を表示させることも可能ではあるが、コストの面から電源装置が高額になってしまい、ＬＥＤ１５，１８のような安価な表示器に代わり独自の計測装置を備えることは難しかった。
【００１３】
本願発明は上記問題点に鑑み、出力端子間が短絡した状態であるか否かを第１および第２の表示器の各表示形態により明確に判別できる電源装置を提供することをその目的とする。
【００１４】
【課題を解決するための手段】
本発明の請求項１における電源装置は、上記目的を達成するために、スイッチング素子のスイッチング動作に伴ない、出力端子間に出力電圧を発生する主電源部と、前記主電源部の動作状態を表示する第１および第２の表示器とを備えた電源装置において、前記出力電圧が第１の閾値を超えていると前記第１の表示器を点灯させ、前記出力電圧が第１の閾値以下であると前記第１の表示器を消灯させる第１の監視手段と、前記出力電圧が第２の閾値を超えていると前記第２の表示器を消灯させ、前記出力電圧が第２の閾値以下であると前記第２の表示器を点灯させる第２の監視手段とを備え、前記第２の監視手段は、前記スイッチング素子のスイッチング動作が停止しない限り、前記出力電圧が零になっても前記第２の表示器を点灯させるものであることを特徴とする。
【００１５】
この場合、第１の表示器は第１の監視手段により、出力電圧が第１の閾値を超えていれば点灯し、逆に出力電圧が第１の閾値以下であれば消灯する。また、第２の表示器は第２の監視手段により、出力電圧が第２の閾値を超えていれば消灯し、逆に出力電圧が第２の閾値以下であれば点灯する。第２の表示器は、例えば過電圧保護動作が働いて、スイッチング素子のスイッチング動作が停止した場合には、第１の表示器と共に消灯するが、出力端子間が短絡した状態では、スイッチング素子のスイッチング動作が停止していないので、出力電圧が低下して零になった後も点灯し続ける。すなわち、第２の表示器のみが点灯し続けるか、第１および第２の表示器が共に消灯しているかを見分けることで、出力端子間が短絡した状態であるか否かを明確に判別できる。
【００１６】
また、本発明の請求項２の電源装置は、前記第１の閾値よりも前記第２の閾値が高くなるように設定して構成される。
【００１７】
こうすると、出力電圧が低下して先ず第２の閾値に達すると、第１の表示器と共に第２の表示器も点灯し、さらに出力電圧が低下して第２の閾値よりも低い第１の閾値に達すると、第２の表示器だけが点灯するようになる。第１の閾値と第２の閾値が同じであると、第１の表示器と第２の表示器が出力電圧の低下に伴ない瞬時に切り替わるため、第２の表示器だけの点灯が、負荷の取過ぎによる過電流保護動作によるものか、あるいは出力端子間の短絡によるものなのか明確に区別できない。しかし、この請求項２の発明のように、出力電圧が低下する途中で、第１および第２の表示器が共に点灯するように第１の閾値と第２の閾値をそれぞれ設定すれば、出力端子間が短絡した状態であるか否かを明確に判別できる。
【００１８】
また、本発明の請求項３の電源装置は、前記主電源部が、前記スイッチング素子のスイッチング動作に伴ない二次巻線に電圧を誘起させるトランスと、このトランスからの誘起電圧を整流平滑して前記出力電圧を得る整流平滑回路とを備え、前記第２の監視手段が、前記第２の表示器に駆動電流を供給するために、前記トランスに巻装される補助巻線と、前記出力電圧が第２の閾値を超えているときに前記第２の表示器への前記駆動電流を遮断する出力電圧監視回路とにより構成されることを特徴とする。
【００１９】
請求項３の発明は、第２の監視手段の構成をより具体化したものである。すなわち、第２の表示器への駆動電流供給手段は、主電源部を構成するトランスの二次巻線ではなく、このトランスに巻装された別の補助巻線で構成される。これにより、スイッチング素子のスイッチング動作が行なわれているか否かを直接的に監視しなくても、スイッチング素子がスイッチング動作している限り補助巻線から供給される駆動電流によって、出力電圧が零の状態でも第２の表示器を確実に点灯させ続けることができる。
【００２０】
【発明の実施形態】
以下、本発明における好ましい電源装置の一実施例について、添付図面を参照して詳細に説明する。尚、図４に示す回路図と構成が重複するものについては同一の符号を付し、その説明を省略する。
【００２１】
装置の全体構成を示す図１において、主電源部９の構成は従来の図４に示すものと共通している。すなわち、スイッチング素子４をスイッチング動作することにより、入力端子１，２間の直流入力電圧Ｖｉｎがスイッチング素子４と直列回路をなすトランス３の一次巻線３ａに断続的に印加され、このトランス３の二次巻線３ｂに誘起した電圧が、整流ダイオード５および平滑コンデンサ６からなる整流平滑回路により整流平滑されることで、出力端子７，８間に直流出力電圧Ｖｏｕｔが発生するようになっている。
【００２２】
次いで、主電源部９に組み込まれた動作状態表示装置の構成について説明すると、前記出力端子７，８間には、抵抗２１と第１の表示器である出力表示用ＬＥＤ１５との直列回路が第１の監視手段２３として接続される。この第１の監視手段２３は、出力電圧Ｖｏｕｔが第１の閾値ＶＴＨ１を超えているときに、主電源９からの駆動電流を抵抗２１を介して出力表示用ＬＥＤ１５に流すことで、出力表示用ＬＥＤ１５を点灯させる一方で、出力電圧Ｖｏｕｔが第１の閾値ＶＴＨ１以下になると、抵抗２１を介して出力表示用ＬＥＤ１５に流れ込む駆動電流が著しく減少し、出力表示用ＬＥＤ１５を消灯させるものである。
【００２３】
一方、２４は第１の監視手段２３とは別に独立して設けられた第２の監視手段であり、これは前記トランス３に巻装された補助巻線３ｃと、補助巻線３ｃに誘起された電圧を整流平滑する整流ダイオード２６および平滑コンデンサ２７からなる整流平滑回路と、第２の表示器であるアラーム表示用ＬＥＤ１８と共に、平滑コンデンサ２７の両端間に接続される直列回路をなす抵抗２８と、アラーム表示用ＬＥＤ１８にコレクタ・エミッタ間を接続するトランジスタ２９と、出力端子７，８間に接続されるツェナーダイオード３０および抵抗３１からなる直列回路とにより構成され、ツェナーダイオード３０と抵抗３１との接続点がトランジスタ２９のベースに接続される。この第２の監視手段２４は、出力電圧Ｖｏｕｔが第２の閾値ＶＴＨ２を超えているときに、前記トランジスタ２９，ツェナーダイオード３０および抵抗３１からなる出力電圧監視回路３３によって、アラーム表示用ＬＥＤ１８の両端間をトランジスタ２９により短絡して、アラーム表示用ＬＥＤ１８を消灯させる一方で、出力電圧Ｖｏｕｔが第２の閾値ＶＴＨ２以下であるときには、前記トランジスタ２９をオフにして、補助巻線３ｃからの駆動電流によりアラーム表示用ＬＥＤ１８を点灯させると共に、出力電圧Ｖｏｕｔが零になっても、スイッチング素子のスイッチング動作が停止せず、補助巻線３ｃから駆動電流が供給される限り、アラーム表示用ＬＥＤ１８の点灯を継続させるものである。
【００２４】
また本実施例では、第１の監視手段２３で設定される第１の閾値ＶＴＨ１よりも、第２の監視手段２４で設定される第２の閾値ＶＴＨ２が高くなるように、これらの監視手段２３，２４を構成する素子の定数を選定している。これにより、出力電圧Ｖｏｕｔが第２の閾値ＶＴＨ２以下で、かつ第１の閾値ＶＴＨ１を超えている範囲内にあるときに、出力表示用ＬＥＤ１５およびアラーム表示用ＬＥＤ１８が共に点灯する。
【００２５】
なお、上記第１の監視手段２３や第２の監視手段２４の回路構成は、図１に示すものに限定されず、同等の機能を有する他の回路構成でも実現可能である。また、主電源部９の構成も、フォワード型，フライバック型，ハーフブリッジ型，フルブリッジ型などのトランス３を備えた各種絶縁型コンバータに限らず、トランス３を介在させていない非絶縁型コンバータ（降圧型，昇圧型，昇降圧型など）にも適用できる。本実施例では、視覚的な効果を高めるために、緑色の発光色を有する出力表示用ＬＥＤ１５と、赤色の発光色を有するアラーム表示用ＬＥＤ１８を選定しているが、こうした色についても特に限定されない。
【００２６】
次に上記構成について、その作用を図２に示すグラフと、図３〜図６に示す電源装置の正面図を参照しながら説明する。なお図２は、主電源部９における出力電圧Ｖｏｕｔと出力電流Ｉｏｕｔの関係と、出力表示用ＬＥＤ１５およびアラーム表示用ＬＥＤ１８が点灯する出力電圧Ｖｏｕｔの範囲Ｒ１，Ｒ２をそれぞれ示すものである。また、図中Ｉｏｕｔ’は、過電流保護の動作する出力電流値であり、本実施例では出力電流Ｉｏｕｔがこの動作点に達すると、出力電圧Ｖｏｕｔが垂下する（図２参照）特性となるように、スイッチング素子４へのパルス導通幅を制御している。
【００２７】
出力端子７，８間に発生する出力電圧Ｖｏｕｔが、例えば定格電圧である直流２４ボルト付近の正常値で、第１の監視手段２３で定められる第１の閾値ＶＴＨ１と、第２の監視手段で定められる第２の閾値ＶＴＨ２をいずれも超えている場合は、抵抗２１を経由して主電源部９からの駆動電流が出力表示用ＬＥＤ１５に流れ込み、この出力表示用ＬＥＤ１５が緑色に点灯する。また第２の監視手段２４は、出力電圧監視回路３３を構成するツェナーダイオード３０が導通するため、このツェナーダイオード３０を介してトランジスタ２９のベースに電圧が印加し、トランジスタ２９がオンしてアラーム表示用ＬＥＤ１８の両端間を短絡する。これにより、スイッチング素子４のスイッチング動作に伴ない補助巻線３ｃに誘起した電圧は、整流ダイオード２６と平滑コンデンサ２７にて整流平滑されるものの、アラーム表示用ＬＥＤ１８の両端間には印加されず、このアラーム表示用ＬＥＤ１８は消灯した状態になる。
【００２８】
図３は、この出力電圧Ｖｏｕｔの正常時における表示状態を示したものである。なお、図中３７は電源装置のケース、３８は出力電圧Ｖｏｕｔを可変するための摘みである。この状態では、緑色の出力表示用ＬＥＤ１５だけが点灯して、出力電圧Ｖｏｕｔが正常であることを知らせている。
【００２９】
次に主電源部９が過負荷状態になり、過電流保護動作が働いたときの作用を説明する。この場合は、過電流保護動作により出力電圧Ｖｏｕｔが低下するが、第１の監視手段２３は引き続き主電源９からの駆動電流を、抵抗２１を経由して出力表示用ＬＥＤ１５に供給しているため、出力表示用ＬＥＤ１５は点灯する。一方、第２の監視手段２４は、ツェナーダイオード３０により設定される第２の閾値ＶＴＨ２（直流約２０ボルト）よりも出力電圧Ｖｏｕｔが低下した時点で、ツェナーダイオード３０を非導通にしてトランジスタ２９のベースへの印加電圧を遮断する。こうなると、補助巻線３ｃからの駆動電流が、整流ダイオード２６および平滑コンデンサ２７を経て、抵抗２８およびアラーム表示用ＬＥＤ１８からなる直列回路に流れ込み、出力表示用ＬＥＤ１５のみならずアラーム表示用ＬＥＤ１８も点灯する。なおこれは、入力電圧Ｖｉｎが低下するのに伴ない、出力電圧Ｖｏｕｔが低下したときにも同様の状態を呈する。
【００３０】
図４は、過電流保護の動作が働いたり、入力電圧Ｖｉｎが低下したのに起因して、出力電圧Ｖｏｕｔが低下したときの表示状態を示したものである。この状態では、緑色の出力表示用ＬＥＤ１５と、赤色のアラーム表示用ＬＥＤ１８が共に点灯する。
【００３１】
さらに、出力端子７，８間が短絡するなどして、出力電圧Ｖｏｕｔが著しく低下した場合には、主電源９から抵抗２１を介して出力表示用ＬＥＤ１５に流れ込む駆動電流が極端に減少し、第１の監視手段２３が設定した第１の閾値ＶＴＨ１以下になると、出力表示用ＬＥＤ１５は消灯する。一方、第２の監視手段２４は、スイッチング素子４がスイッチング動作を継続している限り、補助巻線３ｃからアラーム表示用ＬＥＤ１８を点灯させるに十分な駆動電流をこのアラーム表示用ＬＥＤ１８に供給する。これにより、出力電圧Ｖｏｕｔが第１の閾値ＶＴＨ１よりもさらに低下して零ボルトになっても、アラーム表示用ＬＥＤ１８は点灯し続ける。
【００３２】
図５は、出力端子７，８間が短絡状態となったときの表示状態を示したものである。この状態では、緑色の出力表示用ＬＥＤ１５と、赤色のアラーム表示用ＬＥＤ１８が共に点灯する。
【００３３】
さらに、出力電圧Ｖｏｕｔが上昇したときに過電圧保護動作が働いて、スイッチング素子４のスイッチング動作が停止すると、トランス３の二次巻線３ｂから出力表示用ＬＥＤ１５への駆動電流と、補助巻線３ｃからアラーム表示用ＬＥＤ１８への駆動電流はいずれも供給停止となる。これは入力電圧Ｖｉｎが全く供給されず、スイッチング素子４のスイッチング動作が停止した場合にも、同様の状態を呈する。こうなると、出力表示用ＬＥＤ１５のみならず、アラーム表示用ＬＥＤ１８も消灯する。
【００３４】
図６は、過電圧保護動作が働いた場合、若しくは入力電圧Ｖｉｎが供給されない場合の表示状態を示したものである。この状態では、緑色の出力表示用ＬＥＤ１５と、赤色のアラーム表示用ＬＥＤ１８が共に消灯する。
【００３５】
こうして、主電源部の動作状態に応じて、出力表示用ＬＥＤ１５とアラーム表示用ＬＥＤ１８が点灯または消灯するので、外部から電源装置の状態を視覚で判別することが可能になる。
【００３６】
以上のように本実施例では、スイッチング素子４のスイッチング動作に伴ない、出力端子７，８間に出力電圧Ｖｏｕｔを発生する主電源部９と、主電源部９の動作状態を表示する第１の表示器である出力表示用ＬＥＤ１５および第２の表示器であるアラーム表示用ＬＥＤ１８とを備えた電源装置において、出力電圧Ｖｏｕｔが第１の閾値ＶＴＨ１を超えていると出力表示用ＬＥＤ１５を点灯させ、出力電圧Ｖｏｕｔが第１の閾値ＶＴＨ１以下であると出力表示用ＬＥＤ１５を消灯させる第１の監視手段２３と、出力電圧Ｖｏｕｔが第２の閾値ＶＴＨ２を超えているとアラーム表示用ＬＥＤ１８を消灯させ、出力電圧Ｖｏｕｔが第２の閾値ＶＴＨ２以下であるとアラーム表示用ＬＥＤ１８を点灯させる第２の監視手段２４とを備え、この第２の監視手段２４は、スイッチング素子４のスイッチング動作が停止しない限り、出力電圧Ｖｏｕｔが零になってもアラーム表示用ＬＥＤ１８を点灯させるように構成している。
【００３７】
この場合、出力表示用ＬＥＤ１５は第１の監視手段２３により、出力電圧Ｖｏｕｔが第１の閾値ＶＴＨ１を超えていれば点灯し、逆に出力電圧Ｖｏｕｔが第１の閾値ＶＴＨ１以下であれば消灯する。また、アラーム表示用ＬＥＤ１８は第２の監視手段２４により、出力電圧Ｖｏｕｔが第２の閾値を超えていれば消灯し、逆に出力電圧Ｖｏｕｔが第２の閾値以下であれば点灯する。アラーム表示用ＬＥＤ１８は、例えば過電圧保護動作が働いて、スイッチング素子４のスイッチング動作が停止した場合には、出力表示用ＬＥＤ１５と共に消灯するが、出力端子７，８間が短絡した状態では、スイッチング素子４のスイッチング動作が停止していないので、出力電圧Ｖｏｕｔが低下して零になった後も点灯し続ける。すなわち、アラーム表示用ＬＥＤ１８のみが点灯し続けるか、出力表示用ＬＥＤ１５およびアラーム表示用ＬＥＤ１８が共に消灯しているかを見分けることで、出力端子７，８間が短絡した状態であるか否かを明確に判別できる。
【００３８】
また、第１の閾値ＶＴＨ１と第２の閾値ＶＴＨ２が同じであると、出力表示用ＬＥＤ１５と共にアラーム表示用ＬＥＤ１８が出力電圧Ｖｏｕｔの低下に伴ない瞬時に切り替わるため、第２の表示器だけの点灯が、負荷の取過ぎによる過電流保護動作によるものか、あるいは出力端子間の短絡によるものなのか明確に区別できない。この点を鑑み、本実施例では、第１の監視手段２３による第１の閾値ＶＴＨ１よりも第２の監視手段２３による第２の閾値ＶＴＨ２が高くなるように設定している。
【００３９】
こうすると、出力電圧Ｖｏｕｔが低下して先ず第２の閾値ＶＴＨ２に達すると、出力表示用ＬＥＤ１５と共にアラーム表示用ＬＥＤ１８も点灯し、さらに出力電圧Ｖｏｕｔが低下して第２の閾値ＶＴＨ２よりも低い第１の閾値ＶＴＨ１に達すると、アラーム表示用ＬＥＤ１８だけが点灯するようになる。そのため、出力電圧Ｖｏｕｔが低下する途中で、出力表示用ＬＥＤ１５とアラーム表示用ＬＥＤ１８が共に点灯するように第１の閾値ＶＴＨ１と第２の閾値ＶＴＨ２をそれぞれ設定すれば、出力端子７，８間が短絡した状態であるか否かを明確に判別できる。
【００４０】
また本実施例では、主電源部９が、スイッチング素子４のスイッチング動作に伴ない二次巻線３ｂに電圧を誘起させるトランス３と、このトランス３からの誘起電圧を整流平滑して前記出力電圧を得る整流平滑回路としての整流ダイオード５および平滑コンデンサ６を備え、第２の監視手段２４が、アラーム表示用ＬＥＤ１８に駆動電流を供給するために、トランス３に巻装される補助巻線３ｃと、アラーム表示用ＬＥＤ１８が第２の閾値ＶＴＨ２を超えているときにアラーム表示用ＬＥＤ１８への駆動電流を遮断する出力電圧監視回路３３とにより構成される。
【００４１】
この場合、アラーム表示用ＬＥＤ１８への駆動電流供給手段は、主電源部９を構成するトランス３の二次巻線３ｂではなく、このトランス３に巻装された別の補助巻線３ｃで構成される。これにより、スイッチング素子４のスイッチング動作が行なわれているか否かを直接的に監視しなくても、スイッチング素子４がスイッチング動作している限り補助巻線３ｃから供給される駆動電流によって、出力電圧Ｖｏｕｔが零の状態でもアラーム表示用ＬＥＤ１８を確実に点灯させ続けることができる。
【００４２】
なお、本発明は上記実施例に限定されるものではなく、種々の変形が可能である。
【００４３】
【発明の効果】
本発明の請求項１の電源装置によれば、第２の表示器のみが点灯し続けるか、第１および第２の表示器が共に消灯しているかを見分けることで、出力端子間が短絡した状態であるか否かを明確に判別できる。
【００４４】
本発明の請求項２の電源装置によれば、第２の表示器のみが点灯しているか、第１および第２の表示器が共に点灯しているかを見分けることで、出力端子間が短絡した状態であるか否かを明確に判別できる。
【００４５】
本発明の請求項３の電源装置によれば、トランスに補助巻線を巻装するだけで、スイッチング素子がスイッチング動作している限り、出力電圧が零の状態でも第２の表示器を確実に点灯させ続けることができる。
【図面の簡単な説明】
【図１】本実施例における電源装置の一例を示す回路図である。
【図２】同上、主電源部の出力電圧対出力電流と各ＬＥＤの動作状態を示すグラフである。
【図３】同上、出力電圧が正常の状態における電源装置の要部正面図である。
【図４】同上、過電流保護動作が働いたり、入力電圧の不足に伴ない出力電圧が低下したときの電源装置の要部正面図である。
【図５】同上、出力短絡により出力電圧が極端に低下したときの電源装置の要部正面図である。
【図６】同上、スイッチング素子のスイッチング動作が停止した状態の電源装置の要部正面図である。
【図７】従来の電源装置の一例を示す回路図である。
【符号の説明】
３  トランス
３ｂ  二次巻線
３ｃ  補助巻線
４  スイッチング素子
５  整流ダイオード
６  平滑コンデンサ
９  主電源部
１５  出力表示用ＬＥＤ（第１の表示器）
１８  アラーム表示用ＬＥＤ（第２の表示器）
２３  第１の監視手段
２４  第２の監視手段
３３  出力電圧監視回路
【図１】
2004320825.tif 000003
【図２】
2004320825.tif 000004
【図３】
2004320825.tif 000005
【図４】
2004320825.tif 000006
【図５】
2004320825.tif 000007
【図６】
2004320825.tif 000008
【図７】
2004320825.tif 000009